(57)【要約】【課題】内部回路とのアクセスを行う双方向通信可能なインターフェースを備える信号処理装置において、メンテナンスを容易にし、内部回路への不要なアクセスを防ぐ。【解決手段】内部回路への入力信号を復調する復調部１７３及び内部回路からの出力信号を変調する変調部１８１と復調部１７３及び変調部１８１への電源の供給または遮断を行う開閉器１７５、１８３とを備えて双方向通信を行う手段と、内部回路への入力信号を復調する復調部１７２と復調部１７２への電源の供給または遮断を行う開閉器１７４を備えて単方向通信を行う単方向通信手段と、双方向通信モードとして機能させる場合は、復調部１７２への電源を遮断し、単方向通信モードとして機能させる場合は、復調部１７３及び変調部１８１への電源を遮断する制御部１６とを備える。【選択図】図１
2007019944.tif 000002
【特許請求の範囲】
【請求項１】
内部回路とのアクセスを行うインターフェースを備える信号処理装置であって、
前記インターフェースは、双方向通信モードまたは単方向通信モードとして機能し、
前記内部回路への入力信号を復調する復調部及び前記内部回路からの出力信号を変調する変調部と前記変調部及び前記復調部の有効または無効を選択する選択手段とを備えて双方向通信を行う双方向通信手段と、
前記内部回路への入力信号を復調する第２の復調部と前記復調部の有効または無効を選択する第２の選択手段とを備えて単方向通信を行う単方向通信手段と、
前記双方向通信モードとして機能させる場合は、前記単方向通信手段の第２の復調部を無効にし、前記単方向通信モードとして機能させる場合は、前記双方向通信手段の変調部及び復調部を無効にする制御を行う制御手段と、
を備える信号処理装置。
【請求項２】
前記選択手段は、電源の供給または遮断の切り替えにより有効または無効にする開閉器である請求項１記載の信号処理装置。
【請求項３】
前記制御手段は、前記内部回路への入力信号として外部コントローラから供給される信号により作動する請求項１または２記載の信号処理装置。
【請求項４】
前記インターフェースは、赤外線通信により双方向通信または単方向通信を実現する請求項１から３の何れか一項記載の信号処理装置。
【請求項５】
請求項３記載の信号処理装置の制御方法であって、
前記外部コントローラから供給される前記双方向通信モードへの切り替え信号を認識し、前記単方向通信手段の第２の復調部の開閉器の開成並びに前記双方向通信手段の復調部及び変調部の開閉器の閉成を行い、双方向通信により前記内部回路に対する処理を実行し、前記内部回路に対する処理の終了後、前記双方向通信手段の復調部及び変調部の開閉器の開成及び前記単方向通信手段の第２の復調部の開閉器の閉成を行う制御方法。
【発明の詳細な説明】
【技術分野】
【０００１】
本発明は、内部回路とのアクセスを行うインターフェースを備える信号処理装置に関し、特に、双方向通信により内部回路へアクセスし内部動作を確認する技術に関する。
【背景技術】
【０００２】
近年、家電製品とデジタル技術を融合させてデジタル家電と呼ばれる製品が数多く商品化されている。これらの製品は内部にＣＰＵと大規模な制御プログラムを内臓し、ソフトウェアによって制御されている。プログラムの開発にあたっては、デバッグ環境を整備することが重要である。デバッグ用として専用のポート又はシリアル通信を利用してターミナルを接続する手段がある。
【０００３】
一方、家電製品は赤外線通信を利用したリモートコントローラーによって操作することが一般的であるために、赤外線リモコンのコマンドを受付けるインターフェースを備えている。従来技術として、赤外線リモコンの受光口を有し、利用者からリモコンにより機器の制御及び状態管理を、機器改造することなく、電灯線又は電話線等による通信ネットワーク上の他端末から行う通信制御用の機器制御アダプタが開示されている（例えば、特許文献１参照）。また、赤外線通信を有効活用する方法として、赤外線通信機能を有し、少ない部品点数によりコマンドやデータの伝送を行う光通信装置が開示されている（例えば、特許文献２参照）。
【特許文献１】特開平０９−０１８９７４号公報
【特許文献２】特開平０７−１５４８７８号公報
【０００４】
図１０は、従来の赤外線機器のブロック図を示す。この赤外線機器は、受光部２０１、第一の受信回路２０２、第二の受信回路２０３、制御部２０４で構成されており、リモコンのコマンド及びパーソナルコンピューターのデータを受信することができる。
【発明の開示】
【発明が解決しようとする課題】
【０００５】
しかしながら、上記従来の赤外線機器は、デザイン面での制約や、安易なデバッグポートの開放による第三者の操作を回避するために、通常商品としてデバッグポートを外部に出してはいなかった。このため、大規模なソフトウェアを内蔵した製品に対する修理やメインテナンスを行う場合には機器内部に隠されたポートを利用するために筐体を開けなければならず作業性が悪かったという欠点があった。
【０００６】
一方、デジタル家電製品のユーザーインターフェースとして赤外線リモコンがよく利用されているが、これをメインテナンスに利用するには機能が不十分で詳細な分析が困難であるという問題があった。なお、ＩｒＤＡなどの赤外線双方向通信を利用することも考えられるが、通常の状態でアクセスできるようにすると第三者に簡単に内部動作を見られてしまう可能性があるとともに、不要なときでも双方向通信用に電力を消費するという問題があった。
【０００７】
本発明は、従来の問題を解決するためになされたもので、メンテナンスを容易にし、内部回路への不要なアクセスを防ぐことを目的とする。
【課題を解決するための手段】
【０００８】
本発明の信号処理装置は、内部回路とのアクセスを行うインターフェースを備える信号処理装置であって、前記インターフェースは、双方向通信モードまたは単方向通信モードとして機能し、前記内部回路への入力信号を復調する復調部及び前記内部回路からの出力信号を変調する変調部と前記変調部及び前記復調部の有効または無効を選択する選択手段とを備えて双方向通信を行う双方向通信手段と、前記内部回路への入力信号を復調する復調部と前記復調部の有効または無効を選択する選択手段とを備えて単方向通信を行う単方向通信手段と、前記双方向通信モードとして機能させる場合は、前記単方向通信手段の復調部を無効にし、前記単方向通信モードとして機能させる場合は、前記双方向通信手段の変調部及び復調部を無効にする制御を行う制御手段とを備える。この構成によれば、単方向通信モードまたは双方向通信モードとして機能するインターフェースを備える信号処理装置において、単方向通信モードとして機能させる場合は、双方向通信手段の変調部及び復調部を無効にすることで、単方向通信モードとして機能させる通常使用状態では双方向通信が不能となるため、内部回路への不要なアクセスを回避することができる。
【０００９】
本発明において、前記選択手段は、電源の供給または遮断の切り替えにより有効または無効にする開閉器である。この構成によれば、使用する通信モード以外の通信手段を電源遮断により無効にすることができるので消費電力の増大を抑えることができる。
【００１０】
本発明の信号処理装置の制御方法は、上記本発明の信号処理装置の制御方法であって、前記外部コントローラから供給される前記双方向通信モードへの切り替え信号を認識し、前記単方向通信手段の復調部の開閉器の開成並びに前記双方向通信手段の復調部及び変調部の開閉器の閉成を行い、双方向通信により前記内部回路に対する処理を実行し、前記内部回路に対する処理の終了後、前記双方向通信手段の復調部及び変調部の開閉器の開成及び前記単方向通信手段の復調部の開閉器の閉成を行う。この構成によれば、単方向通信モードまたは双方向通信モードとして機能するインターフェースを備える信号処理装置において、単方向通信モードとして機能させる場合は、双方向通信手段の変調部及び復調部を無効にすることで、単方向通信モードとして機能させる通常使用状態では双方向通信が不能となるため、内部回路への不要なアクセスを回避することができる。また、使用する通信モード以外の通信手段を電源遮断により無効にすることができるので消費電力の増大を抑えることができる。
【発明の効果】
【００１１】
本発明によれば、単方向通信モードまたは双方向通信モードとして機能するインターフェースを備える信号処理装置において、単方向通信モードとして機能させる場合は、双方向通信手段の変調部及び復調部を無効にすることで、単方向通信モードとして機能させる通常使用状態では双方向通信が不能となるため、内部回路への不要なアクセスを回避することができる。また、使用する通信モード以外の通信手段を電源遮断により無効にすることができるので消費電力の増大を抑えることができる。
【発明を実施するための最良の形態】
【００１２】
図１は、本実施形態の信号処理装置を示すブロック図である。本発明の実施形態のセットトップボックスの信号処理装置１は、内部回路として、ＣＰＵ１１、プログラムメモリー１２、作業メモリー１３及び音声映像処理部１４、内部回路とのアクセスを行うインターフェースとして、シリアル通信処理部１５、赤外線通信制御部１６、入力処理部１７及び出力処理部１８を備える。ＣＰＵ１１は、セットトップボックスの信号処理装置１のバス１９と接続した機器全体の制御を行う。プログラムメモリー１２は、ＣＰＵ１１が処理するプログラムを格納する。作業メモリー１３は、ＣＰＵ１１がプログラムを処理する際に使用する。音声映像処理部１４は、後述する外部の音声映像再生装置３に出力する映像信号を処理する。シリアル通信処理部１５は、ＣＰＵ１１が後述のパーソナルコンピューター４等と双方向通信を行い内部回路へアクセスして簡便なデバッグを提供できるよう通信制御を行う。赤外線通信制御部１６は、赤外線通信を制御しデータ処理する。入力処理部１７は、赤外線の入力信号を処理する。出力処理部１８は、赤外線の出力信号を処理する。
【００１３】
図２は、本実施形態の信号処理装置１の赤外線通信の入力処理部１７及び出力処理部１８の構成を示すブロック図である。入力処理部１７は、受光部１７１、入力復調部１７２、入力復調部１７３、第一の開閉器１７４、第二の開閉器１７５を備える。出力処理部１８は、出力変調部１８１、発光部１８２、第三の開閉器１８３を備える。
【００１４】
入力処理部１７の受光部１７１は、赤外線通信の光信号を受信して電気信号に変換する。入力復調部１７２は、受光部から受取った電気信号をリモコンのコマンドに対応するコードに変換して赤外線通信制御部１６に渡す。入力復調部１７３は、受光部から受取った電気信号を双方向通信の受信データに変換して赤外線通信制御部１６に渡す。第一の開閉器１７４は、赤外線通信制御部１６からの制御信号によって第一の入力復調部１７２の電源の開閉を行う。ＣＰＵ１１は入力処理部１７、赤外線通信制御部１６を介して例えば外部のリモコン等の操作用の端末から送信されたコードを受取る。受取ったコードが切替指示であるモード切替の場合、赤外線通信を双方向のシリアル通信に切替えるために、赤外線通信処理部１５から制御信号を出力して第一の入力復調部１７２の電源を切り、第二の入力復調部１７３の電源を入れる（処理ステップＳ１０４）。また、双方向通信のための出力変調部１８１の電源を入れる（処理ステップＳ１０５）。通常の動作状態のときには第二の入力復調部１７３と出力変調部１８１の電源は切れており、双方向通信が可能になるときだけ電源が投入される。従って、セットトップボックスの信号処理装置１全体としての消費電力を抑制することができる。第二の開閉器１７５は、赤外線通信制御部１６からの制御信号によって第二の入力復調部１７３の電源の開閉を行う。
【００１５】
出力処理部１８の出力変調部１８１は、赤外線通信制御部１６から受取った双方向通信の送信データを赤外線通信のためのパルス信号に対応した電気信号に変調する。発光部１８２は、出力変調部１８１から受取った電気信号を赤外線に変換して発光する。第三の開閉器１８３は、赤外線通信制御部１６からの制御信号によって出力復調部１８１の電源の開閉を行う。第一の切替手段である開閉器１７４、第二の切替手段である開閉器１７５及び第三の切替手段である開閉器１８３は、図示しない切替信号制御手段によって生成された制御信号によって制御される。
【００１６】
次に、本発明の実施形態の赤外線リモートコントローラーについて図３及び図４を用いて説明する。図３は、本実施形態の赤外線リモートコントローラーの一例を示す概観図である。赤外線リモートコントローラー２の筐体は、同図の最上部に赤外線リモートコントローラー（以下、リモコンと呼ぶ）を作動させる電源供給を開閉する電源ボタンを設ける。その下部に、音声出力に切替えるための音声ボタン、入力操作に切替えるための入力ボタン、表示操作に切替えるための切替ボタンを横方向に並べて設ける。さらにその下部位置にリモコン操作するための１乃至１２の数字選択キーを４行３列の範囲で個別に設ける。最下部に音量を調整するための音量選択ボタン及びチャンネルを選択するためのチャンネルボタンを設ける。
【００１７】
図４は、本実施形態のリモートコントローラーの一例を示すブロック図である。リモコン２は、ＣＰＵ２１、プログラムメモリー２２、作業メモリー２３、キー列２４、キー入力処理部２５、赤外線通信処理部２６、出力処理部２７を備える。ＣＰＵ２１は、リモコン２のバス２８と接続した機器全体の制御を行う。プログラムメモリー２２は、ＣＰＵ２１が処理するプログラムを格納する。作業メモリー２３は、ＣＰＵ２１がプログラムを処理する際に使用する。キー列２４は、セットトップボックスの操作に使用する複数のキーを有し、押下されたキーに対応した信号を発生させる。キー入力処理部２５は、キー列２４からの信号を受けて押下されたキーに対応するデータをＣＰＵ２１に出力する。赤外線通信処理部２６は、ＣＰＵ２１からのコマンド出力要求を受けて赤外線通信を制御する。出力処理部２７は、赤外線通信処理部２６から出力される電気信号を赤外線として出力する。
【００１８】
次に、セットトップボックスの信号処理装置１の動作モードの切替えと、セットトップボックスの信号処理装置１の内部動作を確認する手順について図５乃至図７を用いて説明する。図５は、本実施形態の信号処理装置とリモートコントローラーの関係の一例を示す概念図である。同図は、音声映像再生装置３に接続されたセットトップボックスの信号処理装置１がリモコン２から送信された矢印で示す赤外線によって制御を受ける通常の運用操作状態を示し、デバッグ時のみ赤外線リモートコントローラー２によって動作モードを切替えて、赤外線双方向通信を可能にする。この状態のときにセットトップボックスの信号処理装置１は、リモコン２のキー押下に対応したコマンドを受付け、キー押下に対応する処理を行う。たとえば、音量を上げるキーが押下されて、リモコン２がそれに対応するコードの赤外線信号を矢印方向に送信すると、セットトップボックスの信号処理装置１のＣＰＵ１１は受光部１７１、第一の入力復調部１７２、赤外線通信制御部１６を介してそのコードを受取り、それに対応して出力音声信号のレベルを大きくする。この状態のときにリモコン２の特定の組合せキーを所定の時間だけ押下すると、リモコン２は、秘匿された特殊コードを赤外線で送出する。セットトップボックスの信号処理装置１は、特殊コードを受取ると動作状態を変化させ、赤外線双方向通信が可能になり、セットトップボックスの信号処理装置１の動作モード切替及び内部動作確認ができる。
【００１９】
図６は、本実施形態の信号処理装置とパーソナルコンピューターの関係を示す概念図である。同図は、音声映像再生装置３に接続されたセットトップボックスの信号処理装置１がパーソナルコンピューター４との間で両方向矢印で表示のように双方向通信を行っている状態を示す。使用者は、パーソナルコンピューター４の後述のログイン操作を実行し、ＣＰＵ１１を操作するために認証の手続きをする。この状態のときにパーソナルコンピューター４を使ってセットトップボックスの信号処理装置１のＣＰＵ１１との通信が可能になり、この時点でパーソナルコンピューター４はＣＰＵ１１に対する操作端末の役割を果たし、パーソナルコンピューター４を端末操作することによって双方向通信による簡便なデバッグ方法を実現する。
【００２０】
図７は、本実施形態の信号処理装置の認証手続きを開始するためのログイン画面を例示する図である。開始すると、画面の最上位に操作機器の開始を示す「Terminal Login Menu」の表示をする。次いで、使用者であるユーザ名「user:」及びそのパスワード「password：」、等の個人情報を入力するためのメッセージを表示する。この画面表示例では、ユーザ名「user:」に「root」を入力し、そのパスワード「password:」に特定パスワード情報を入力したことによって「*******」が表示されたことを示す。このように、音声映像再生装置３が個人情報を入力要求するメッセージを画面表示するので、使用者は、適切なユーザー名とそれに対応した正しいパスワードをパーソナルコンピューター４から入力することによって、個人情報が正当のときだけ簡便なデバッグ方法を可能とする内部プログラムとの通信を成立させ、初めてセットトップボックスの信号処理装置１の内部プログラムとの対話が成立し、簡便なデバッグ方法が可能になる。
【００２１】
次いで、例えば「mon>debug」のようにデバッグ機能を開始するためのモニター表示し、続いて、例えば「System Debug program starts…」のようにシステムのデバッグ開始を宣言して表示する。大規模なソフトウェアを内蔵した製品に対する修理やメインテナンスを行う場合、音声映像再生装置３に接続されたセットトップボックスの信号処理装置１がパーソナルコンピューター４との間で双方向通信を行い、パーソナルコンピューター４がＣＰＵ１１に対する操作端末の役割を果たすことによって、機器内部に隠されたポートを利用するために筐体を開けることなく、容易にデバッグ作業を実行でき作業性が向上したデバッグ方法を提供できる。
【００２２】
以上のように構成されたセットトップボックスの信号処理装置１及びリモコン２について、本発明に関する動作について説明する。図８は、本実施形態のセットトップボックスの信号処理装置１のＣＰＵ１１が実行する処理の一例を説明するフローチャートである。セットトップボックスの信号処理装置１は、利用者が押したリモコン２のキーに対応したコードをリモコン２から受取って、そのコードに対応した動作をする。先ず、ＣＰＵ１１が処理を開始すると、ＣＰＵ１１は入力処理部１７、赤外線通信制御部１６を介してリモコン２からのコードを受取る(処理ステップＳ１０１)。次に、受取ったコードがモード切替のコードか否かを判定する（処理ステップＳ１０２）。受取ったコードがモード切替でなく通常の操作キーのコードであった場合（ＮＯ）には、そのコードに対応した処理を実行し（処理ステップＳ１０３）、次のコードを受取るために処理ステップＳ１０１に戻る。受取ったコードがモード切替のコードの場合（ＹＥＳ）には、赤外線通信を双方向のシリアル通信に切替えるために、赤外線通信処理部１５から制御信号を出力して第一の入力復調部１７２の電源を切り、第二の入力復調部１７３の電源を入れる（処理ステップＳ１０４）。また、双方向通信のための出力変調部１８１の電源を入れる（処理ステップＳ１０５）。次に、シリアル通信処理部１５を有効にして赤外線通信制御部１６を介して赤外線による双方向シリアル通信ができるようにする（処理ステップＳ１０６）。ここで、処理ステップＳ１０６で双方向通信が可能になってからは、操作をリモコン２から赤外線双方向通信機能を持つパーソナルコンピューター４に替える。パーソナルコンピューター４を端末モードにして操作を継続する。次にパーソナルコンピューター４を映像出力機器１の端末として活用するために、ユーザー認証のためのログインを行う（処理ステップＳ１０７）。ここでは、ユーザー名とパスワードの入力を促し、ユーザーとして登録されているかどうか確認する（処理ステップＳ１０８）。処理ステップＳ１０８で、登録ユーザーと確認できなかった場合（ＮＯ）、双方向通信の継続を中止し、処理ステップＳ１１１以降の処理を実行する。登録ユーザーと確認された場合（ＹＥＳ）、パーソナルコンピューター４を端末として用いる端末処理を実行し、デバッグ作業等を実行する（処理ステップＳ１０９）。端末処理が終了すると（処理ステップＳ１１０）、セットトップボックスの信号処理装置１のモードを通常のモードに切替える処理に移行する。赤外線通信処理部から制御信号を出力して第二の入力復調部の電源を切り、第一の入力復調部の電源を入れる（処理ステップＳ１１１）。また、送信機能を停止するために出力変調部の電源を切る（処理ステップＳ１１２）。処理継続か否かを判断し（処理ステップＳ１１３）、処理終了ならば（ＮＯ）、装置の電源を切り終了する。処理継続ならば（ＹＥＳ）、処理ステップＳ１０１の通常モードに移行する。
【００２３】
次に、リモコンの処理について図９を用いて説明する。図９はリモコン２のＣＰＵ２１が実行する処理の一例を示すフローチャートである。リモコン２のＣＰＵ２１は、使用者がリモコン２のキー列２４のキーを押すことによって信号を受取り、そのキーに対応したコードを赤外線通信制御部２６から送信する。本実施例のリモコンは図３に示すようなキーを備えている。セットトップボックスの信号処理装置１の動作モードを切替える特殊なコードは、複数のキーを所定の時間以上押すことによって発行される。たとえば、本例ではチャンネル切替えの上下２つのキーを同時に１０秒以上押すことによって、信号処理装置１の動作モードを切替える特殊なコードを発行する。
【００２４】
ＣＰＵ２１は、押下されたキーに対応して出力された信号をキー入力処理部２５を介して検知する（処理ステップＳ２０１）。次に、キーが単一で押下されたか確認する（処理ステップＳ２０２）。処理ステップＳ１２０２で単一キーの押下だった場合（ＹＥＳ）、キーに対応するコードを生成して赤外線通信処理部２６、出力処理部２７を介して赤外線で出力する（処理ステップＳ２０３）。処理ステップＳ２０２で複数キーの組合せの押下だった場合（ＮＯ）、次にその組合せが特定の組合せ（本実施例ではチャンネル切替えの上下２つのキーの同時押下）か否か確認する（処理ステップＳ２０４）。処理ステップＳ２０４で特定の組合せでなかった場合には、無効なキー押下と判断して、次のキー押下が発生するまで処理ステップＳ２０１に移行する。処理ステップＳ２０４で、有効な組合せと判断された場合には所定の時間だけ（本実施例では１０秒）待つ（処理ステップＳ２０５）。そして、その押下が継続していることを確認する（処理ステップＳ２０６）。処理ステップＳ２０６において、押下が連続していなかった場合には無効なキーと判断して次のキー押下が発生するまで処理ステップＳ２０１に移行する。処理ステップＳ２０６で、押下が連続している場合（ＮＯ）には、有効と判断され、モード切替用のコードを生成して赤外線通信処理部２６、出力処理部２７を介して赤外線で出力する（処理ステップＳ２０７）。
【００２５】
以上の構成及び処理により、パーソナルコンピューター４は、セットトップボックスの信号処理装置１と赤外線信号の双方向通信を行い、パーソナルコンピューター４の端末操作による簡便なデバッグ方法が可能になる。また、リモコン２の特定の組合せのキーを所定の時間だけ押下することによって、リモコン２は特殊コードをセットトップボックスの信号処理装置１に送信し、セットトップボックスの信号処理装置１はそのコードを受取ることにより、双方向通信に必要な第二の入力復調部１７３、出力変調部１８１を有効にさせて、赤外線双方向通信が可能になり、セットトップボックスの信号処理装置１の動作モード切替及び内部動作確認ができる。このとき、通常の動作状態のときには第二の入力復調部１７３と出力変調部１８１の電源は切れており、双方向通信が可能になるときだけ電源が投入されるので、セットトップボックスの信号処理装置１全体としての消費電力を抑制することができる。
【産業上の利用可能性】
【００２６】
本発明の信号処理装置及びその制御方法は、単方向通信モードまたは双方向通信モードとして機能するインターフェースを備える信号処理装置において、単方向通信モードとして機能させる場合は、双方向通信手段の変調部及び復調部を無効にすることで、単方向通信モードとして機能させる通常使用状態では双方向通信が不能となるため、内部回路への不要なアクセスを回避することができ、また、使用する通信モード以外の通信手段を電源遮断により無効にすることができるので消費電力の増大を抑えることができるという効果を有し、内部回路とのアクセスを行うインターフェースを備える信号処理装置、特に、双方向通信により内部回路へアクセスし内部動作を確認する技術等として有用である。
【図面の簡単な説明】
【００２７】
【図１】本実施形態の信号処理装置を示すブロック図
【図２】本実施形態の信号処理装置の赤外線通信の入力処理部及び出力処理部を示すブロック図
【図３】本実施形態の赤外線リモートコントローラーを示す概観図
【図４】本施形態のリモートコントローラーを示すブロック図
【図５】本実施形態の信号処理装置とリモートコントローラーの関係を示す概念図
【図６】本実施形態の信号処理装置とパーソナルコンピューターの関係を示す概念図
【図７】本実施形態の信号処理装置の認証手続きを開始するためのログイン画面を示す図
【図８】本実施形態のセットトップボックスの信号処理装置のＣＰＵが実行する処理を示すフローチャート
【図９】リモコン２のＣＰＵ２１が実行する処理を示すフローチャート
【図１０】従来の赤外線機器のブロック図
【符号の説明】
【００２８】
１  信号処理装置
２  リモートコントローラー
３  音声映像再生装置
４  パーソナルコンピューター
１１  ＣＰＵ
１２  プログラムメモリー
１３  作業メモリー
１４  音声映像処理部
１５  シリアル通信処理部
１６  赤外線通信制御部
１７  入力処理部
１８  出力処理部
１７２  第1の入力復調部
１７３  第２の入力復調部
１７４、１７５、１８３  開閉器
１８１  出力変調部
【図１】
2007019944.tif 000003
【図２】
2007019944.tif 000004
【図３】
2007019944.tif 000005
【図４】
2007019944.tif 000006
【図５】
2007019944.tif 000007
【図６】
2007019944.tif 000008
【図７】
2007019944.tif 000009
【図８】
2007019944.tif 000010
【図９】
2007019944.tif 000011
【図１０】
2007019944.tif 000012